(57)【要約】【課題】  デジタルカメラなどの電気機器の電源オン操作の期間中に何らかの不具合等で操作スイッチが操作され続けた場合でも、所望のタイミングで確実に電気機器の電源をオフすることができるようにすること。【解決手段】  電気機器における電力供給を制御する電源制御装置であって、電気機器をオン／オフする操作スイッチ（１０２）と、電気機器の動作を制御する制御回路（１０９）と、制御回路に電力を供給するための制御回路用電源回路（１０６）と、操作スイッチが操作されたことを検出して、その操作期間、第１の制御信号を出力するＳＷ検出回路（１０３）と、電気機器のオン動作時に、第１の制御信号に基づいて制御回路用電源回路をオンするための第２の制御信号を供給し、電気機器のオフ動作時に、第１の制御信号及び制御回路からの第３の制御信号に基づいて制御回路用電源回路をオフするための第４の制御信号を供給する制御信号生成回路（１０５）とを有する。【選択図】  図１
2005108156.tif 000002
【特許請求の範囲】
【請求項１】
電気機器における電力供給を制御する電源制御装置であって、
前記電気機器をオン／オフする操作手段と、
前記電気機器の動作を制御する制御手段と、
オン／オフの制御が可能に構成され、前記制御手段に電力を供給するための電源手段と、
前記操作手段が操作されたことを検出して、該操作手段が操作されている期間において第１の制御信号を出力する検出手段と、
前記電気機器のオン動作時に、前記第１の制御信号に基づいて前記電源手段をオンするための第２の制御信号を前記電源手段に供給し、前記電気機器のオフ動作時に、前記第１の制御信号及び前記制御手段からの第３の制御信号に基づいて前記電源手段をオフするための第４の制御信号を前記電源手段に供給する制御信号生成手段と
を有することを特徴とする電源制御装置。
【請求項２】
前記制御手段は、前記電気機器を所定時間制御しない場合に前記第３の制御信号を出力し、前記制御信号生成手段は、前記第１の制御信号よりも前記第３の制御信号を優先することを特徴とする請求項１に記載の電源制御装置。
【請求項３】
電気機器における電力供給を制御する電源制御装置であって、
前記電気機器をオン／オフする操作手段と、
前記電気機器の動作を制御する制御手段と、
前記操作手段が操作されたことを検出して、該操作手段が操作されている期間において第１の制御信号を出力する検出手段と、
前記検出手段から所定期間以上の制御信号が入力された場合に、所定時間、第２の制御信号を出力する検出信号保持手段と、
オン／オフの制御が可能に構成され、前記電気機器のオン動作時に、前記第２の制御信号に基づいて前記制御手段に電力を供給する電源手段と
を有することを特徴とする電源制御装置。
【請求項４】
前記電源手段は、前記電気機器のオフ動作時に、前記第２の制御信号及び前記制御手段からの第３の制御信号に基づいて前記制御手段への電力供給を停止することを特徴とする請求項３に記載の電源制御装置。
【請求項５】
前記検出信号保持手段が制御信号を出力する所定時間は、前記電源手段が動作を開始し、前記制御手段が立ち上がり、前記電気機器の動作を制御可能な状態になるために必要な時間より長いことを特徴とする請求項３または４に記載の電源制御装置。
【請求項６】
前記電気機器は、デジタルカメラであることを特徴とする請求項１乃至５のいずれかに記載の電源制御装置。
【請求項７】
電気機器をオン／オフする操作手段と、前記電気機器の動作を制御すると共に、必要に応じて該電気機器をオフする制御信号を出力する制御手段と、オン／オフの制御が可能に構成され、前記制御手段に電力を供給するための電源手段とを有する電気機器における電力供給を制御する電源制御方法であって、
前記操作手段が操作されたことを検出する検出工程と、
前記検出工程で検出された操作が前記電気機器のオン動作である場合に、前記電源手段をオンし、前記検出工程で検出された操作が前記電気機器のオフ動作である場合、または、前記制御手段が前記電気機器をオフする制御信号を出力した場合に、前記電源手段をオフする制御工程と
を有することを特徴とする電源制御方法。
【請求項８】
前記制御手段は、前記電気機器を所定時間制御しない場合に前記電気機器をオフする制御信号を出力し、前記制御工程では、前記検出工程における検出結果よりも前記制御手段からの制御信号を優先することを特徴とする請求項７に記載の電源制御方法。
【請求項９】
電気機器をオン／オフする操作手段と、前記電気機器の動作を制御すると共に、必要に応じて該電気機器をオフする制御信号を出力する制御手段とを有する電気機器における電力供給を制御する電源制御方法であって、
前記操作手段が操作されたことを検出する検出工程と、
前記検出工程で所定期間以上、前記操作手段の操作が検出された場合に、所定時間、制御信号を出力する制御信号出力工程と、
前記制御信号出力工程で制御信号が出力された場合に、前記操作手段の操作が前記電気機器のオン動作であれば、前記制御手段への電力供給を開始する電力供給開始工程と
を有することを特徴とする電源制御方法。
【請求項１０】
前記制御信号出力工程で制御信号が出力された場合であって、前記操作手段の操作が前記電気機器のオフ動作である場合、及び、前記制御手段が前記電気機器をオフする制御信号を出力した場合に前記制御手段への電力供給を停止する電力供給停止工程を更に有することを特徴とする請求項９に記載の電源制御方法。
【請求項１１】
前記制御信号出力工程で制御信号を出力する所定時間は、前記電力供給が開始されてから前記制御手段が立ち上がり、前記電気機器の動作を制御可能な状態になるために必要な時間より長いことを特徴とする請求項９または１０に記載の電源制御方法。
【請求項１２】
前記電気機器は、デジタルカメラであることを特徴とする請求項７乃至１１のいずれかに記載の電源制御方法。
【発明の詳細な説明】
【技術分野】
【０００１】
本発明は、デジタルカメラ等の電気機器における電源制御装置及び方法に関するものである。
【背景技術】
【０００２】
従来、カメラが動作していない間の消費電流を削減し、電池の消耗を少なくすることが可能なデジタルカメラが提案されている（例えば、特許文献１参照）。この従来のデジタルカメラの電源制御について、その電源制御構成を図７、また、電源電源オン及びオフ時の制御を図８を参照して説明する。
【０００３】
図７において、１１０はカメラ部、１０１はカメラに電源を供給するための電池、１０２はカメラの電源をオン／オフするための操作スイッチ、１０３は操作スイッチ１０２が操作されたことを検出するためのスイッチ（ＳＷ）検出回路、１０４はＯＲ回路、１０６は制御回路１０９に電源を供給するための制御回路用電源回路、１０７はカメラ部１１０に電源を供給するためのカメラ部用電源回路、１０８はＡＮＤ回路、１０９はカメラの動作を制御するための制御回路である。カメラ部１１０はＣＣＤ等で構成される撮像回路、信号処理回路、ＬＣＤ等で構成される表示回路、レンズ等を動作させるためのドライバ回路、及び撮影した画像を記録するためのメモリ等で構成されている。ここではカメラ部１１０の詳細な説明は省略する。
【０００４】
まず、電源オン時の動作について説明する。図８（ａ）のＴ１で電源オンのために操作スイッチ１０２が操作されると、ＳＷ検出回路１０３は操作スイッチ１０２が操作されている期間（ここでは、Ｔ１〜Ｔ４の期間、電源オン操作のためにスイッチが操作されているものとする。）、ＯＲ回路１０４及びＡＮＤ回路１０８にそれぞれ制御信号Ｓ１として“Ｈ”レベルの信号を供給する。ＯＲ回路１０４は、ＳＷ検出回路１０３から“Ｈ”レベルの信号が供給されると、出力信号Ｓ３として“Ｈ”レベルの信号を出力する。制御回路用電源回路１０６はＯＲ回路１０４から“Ｈ”レベルの信号が供給されると動作を開始し、電池１０１の電圧を制御回路１０９が動作可能な電源電圧ＶＣＣに変換して制御回路１０９に供給すると同時に、ＡＮＤ回路１０８に“Ｈ”レベル信号を供給する。制御回路１０９は、制御回路用電源回路１０６からの電源電圧ＶＣＣがＴ２で所定の電圧に達すると動作を開始する。同時にＡＮＤ回路１０８は、ＳＷ検出回路１０３と制御回路用電源回路１０６からそれぞれ“Ｈ”レベルの信号が供給されている期間、出力信号Ｓ４として“Ｈ”レベルを出力する。制御回路１０９は、Ｔ２でＡＮＤ回路１０８から“Ｈ”レベル信号Ｓ４が供給されると操作スイッチ１０２が操作されたものと判断し、制御回路用電源回路１０６の動作を保持するために、Ｔ３でＯＲ回路１０４に“Ｈ”レベル信号Ｓ２を出力し、カメラ動作中は常に“Ｈ”レベル信号の出力を続ける。これにより、Ｔ４で操作スイッチ１０２の操作が終了しても、制御回路１０９からＯＲ回路１０４に“Ｈ”レベル信号Ｓ２が供給されていれば、Ｓ３が“Ｈ”のままであるので制御回路用電源回路１０６の動作が継続されることになる。さらに制御回路１０９はカメラの動作を開始するために、カメラ部用電源回路１０７を動作するための制御信号Ｓ６を出力すると共に、カメラ部１１０の制御を開始する。
【０００５】
次に、電源オフ時の動作について説明する。図８（ａ）のＴ５からＴ６までの期間、電源オフのために操作スイッチ１０２が操作されると、ＳＷ検出回路１０３は操作スイッチ１０２が操作されている期間、ＯＲ回路１０４及びＡＮＤ回路１０８に制御信号Ｓ１として“Ｈ”レベルの信号を供給する。カメラが動作している時には、制御回路用電源回路１０６からＡＮＤ回路１０８には“Ｈ”レベルの信号が供給されているので、ＡＮＤ回路１０８は“Ｈ”レベル信号Ｓ４を制御回路１０９に出力する。制御回路１０９はＡＮＤ回路１０８から“Ｈ”レベル信号Ｓ４が供給されると操作スイッチ１０２が操作されたものと判断し、カメラの動作を停止するために、カメラ部１１０への制御を終了した後、カメラ部用電源回路１０７を停止するための制御信号Ｓ６を出力する。さらに、制御回路用電源回路１０６の動作を停止するために、Ｔ７で制御回路１０９はＯＲ回路１０４に“Ｌ”レベル信号Ｓ２を供給すると、ＯＲ回路１０４に供給される制御信号Ｓ１とＳ２は共に“Ｌ”レベルとなるので、出力信号Ｓ３は“Ｌ”レベルとなり、制御回路用電源回路１０６の動作が停止し、カメラ内部全てへの電力供給が停止され、カメラの動作が停止する。
【０００６】
以上が操作スイッチの操作で電源をオン及びオフする時の制御である。
【０００７】
図８（ｂ）は、所定期間カメラの操作が行われない場合に、省電力のためにカメラの電源を自動的にオフする時の制御を示す図である。同図においてＴ１からＴ４までの電源をオンする時の制御は上述した図８（ａ）の説明と同様である。電源オン後、所定の期間カメラの操作が何も行われない場合には、制御回路１０９はカメラの動作を停止するために、カメラ部１１０への制御を終了した後、カメラ部用電源回路１０７を停止するための制御信号Ｓ６を出力する。さらに、制御回路用電源回路１０６を停止するために、Ｔ８でＯＲ回路１０４に“Ｌ”レベル信号Ｓ２を供給すると、ＯＲ回路１０４に供給される制御信号Ｓ１とＳ２は共に“Ｌ”レベルとなり、出力信号Ｓ３も“Ｌ”レベルにできるので、制御回路用電源回路１０６の動作が停止して、カメラの動作が停止することになる。
【０００８】
【特許文献１】特開２００１−３２７０７２号公報
【発明の開示】
【発明が解決しようとする課題】
【０００９】
しかしながら、上記構成では、図８（ｃ）に示すように、カメラの電源オン時に何らかの不具合等で操作スイッチ１０２が操作され続けた状態になっていると、ＳＷ検出回路１０３の出力Ｓ１は“Ｈ”レベルのままになってしまい、カメラをオフするためにＴ８で制御回路１０９がＯＲ回路１０４に“Ｌ”レベルの制御信号Ｓ２を供給しても、Ｓ１が“Ｈ”レベルのためにＯＲ回路１０４の出力信号Ｓ３は“Ｈ”レベルのままなので、制御回路用電源回路１０６の動作を停止することができない。逆に、電源オフ時に操作スイッチ１０２が操作され、そのままスイッチが操作され続けた状態になった時も同様の動作となり、カメラの電源をオフすることができなくなってしまう。
【００１０】
また、上記構成では、図８（ｄ）に示すようにカメラの電源をオンする時に、Ｔ３より前のＴ２で操作スイッチの操作を止めてしまうと、Ｔ２ではＳ２は“Ｌ”レベルのままであり、さらにＳ１がＴ２で“Ｌ”レベルとなってしまうため、Ｓ３もＴ２で“Ｌ”レベルとなってしまう。このため、制御回路用電源回路１０６、制御回路１０９が立ち上がらないので、カメラの電源をオンできないという問題もあった。
【００１１】
本発明は上記問題点を鑑みてなされたものであり、デジタルカメラなどの電気機器の電源オン操作の期間中に何らかの不具合等で操作スイッチが操作され続けた場合でも、所望のタイミングで確実に電気機器の電源をオフすることができるようにすることを第１の目的とする。
【００１２】
また、デジタルカメラなどの電気機器の電源をオンする時に、電気機器が動作を開始するまで操作スイッチを操作し続けなくても確実に電気機器の電源をオンすることができるようにすることを第２の目的とする。
【課題を解決するための手段】
【００１３】
上記第１の目的を達成するために、電気機器における電力供給を制御する本発明の電源制御装置は、前記電気機器をオン／オフする操作手段と、前記電気機器の動作を制御する制御手段と、オン／オフの制御が可能に構成され、前記制御手段に電力を供給するための電源手段と、前記操作手段が操作されたことを検出して、該操作手段が操作されている期間において第１の制御信号を出力する検出手段と、前記電気機器のオン動作時に、前記第１の制御信号に基づいて前記電源手段をオンするための第２の制御信号を前記電源手段に供給し、前記電気機器のオフ動作時に、前記第１の制御信号及び前記制御手段からの第３の制御信号に基づいて前記電源手段をオフするための第４の制御信号を前記電源手段に供給する制御信号生成手段とを有する。
【００１４】
また、電気機器をオン／オフする操作手段と、前記電気機器の動作を制御すると共に、必要に応じて該電気機器をオフする制御信号を出力する制御手段と、オン／オフの制御が可能に構成され、前記制御手段に電力を供給するための電源手段とを有する電気機器における電力供給を制御する本発明の電源制御方法は、前記操作手段が操作されたことを検出する検出工程と、前記検出工程で検出された操作が前記電気機器のオン動作である場合に、前記電源手段をオンし、前記検出工程で検出された操作が前記電気機器のオフ動作である場合、または、前記制御手段が前記電気機器をオフする制御信号を出力した場合に、前記電源手段をオフする制御工程とを有する。
【００１５】
また、上記第２の目的を達成するために、電気機器における電力供給を制御する本発明の電源制御装置は、前記電気機器をオン／オフする操作手段と、前記電気機器の動作を制御する制御手段と、前記操作手段が操作されたことを検出して、該操作手段が操作されている期間において第１の制御信号を出力する検出手段と、前記検出手段から所定期間以上の制御信号が入力された場合に、所定時間、第２の制御信号を出力する検出信号保持手段と、オン／オフの制御が可能に構成され、前記電気機器のオン動作時に、前記第２の制御信号に基づいて前記制御手段に電力を供給する電源手段とを有する。
【００１６】
また、電気機器をオン／オフする操作手段と、前記電気機器の動作を制御すると共に、必要に応じて該電気機器をオフする制御信号を出力する制御手段とを有する電気機器における電力供給を制御する本発明の電源制御方法は、前記操作手段が操作されたことを検出する検出工程と、前記検出工程で所定期間以上、前記操作手段の操作が検出された場合に、所定時間、制御信号を出力する制御信号出力工程と、前記制御信号出力工程で制御信号が出力された場合に、前記操作手段の操作が前記電気機器のオン動作であれば、前記制御手段への電力供給を開始する電力供給開始工程とを有する。
【発明の効果】
【００１７】
上記構成によれば、デジタルカメラ等の電気機器の電源がオンの期間中に何らかの不具合等で操作スイッチが操作され続けた場合でも、制御回路からの制御によって確実に電気機器の電源をオフすることが可能となる。また、電気機器の電源をオンする時に、電気機器が動作を開始するまで操作スイッチを操作し続けなくても、確実に電気機器の電源をオンすることが可能となる。
【発明を実施するための最良の形態】
【００１８】
以下、添付図面を参照して本発明を実施するための最良の形態を詳細に説明する。
【００１９】
＜第１の実施形態＞
図１は、本発明の第１の実施形態に係るデジタルカメラの概略機能構成を示すブロック図である。同図において、１０１はカメラに電源を供給するための電池、１０２はカメラの電源をオン／オフするための操作スイッチ、１０３は操作スイッチ１０２が操作されたことを検出するためのスイッチ（ＳＷ）検出回路、１０４はＯＲ回路、１０５は入力された信号から所定の制御信号を生成する制御信号生成回路、１０６は制御回路１０９に電源を供給するための制御回路用電源回路、１０７はカメラ部１１０に電源を供給するためのカメラ部用電源回路、１０８はＡＮＤ回路、１０９はカメラの動作を制御するための制御回路である。カメラ部１１０はＣＣＤ等で構成される撮像回路、信号処理回路、ＬＣＤ等で構成される表示回路、レンズ等を動作させるためのドライバ回路、及び撮影した画像を記録するためのメモリ等で構成されている。ここではカメラ部１１０の詳細な説明は本発明に直接関係が無いため省略する。また、電池１０１としては、着脱可能なものや、カメラ内に装備された充電式のものなど、どのようなタイプの電池であってもよい。
【００２０】
図３は本第１の実施形態におけるデジタルカメラの電源オン及びオフ時の制御を示すタイミングチャートである。図１及び図３を用いて電源オン／オフの制御について説明する。
【００２１】
まず、電源オン時の動作について説明する。図３（ａ）のＴ１で電源オンのために操作スイッチ１０２が操作されると、ＳＷ検出回路１０３は操作スイッチ１０２が操作されている期間（ここでは、Ｔ１〜Ｔ４の期間、電源オン操作のためにスイッチが操作されているものとする。）、ＯＲ回路１０４及びＡＮＤ回路１０８にそれぞれ制御信号Ｓ１として“Ｈ”レベルの信号を供給する。ＯＲ回路１０４は、ＳＷ検出回路１０３から“Ｈ”レベルの信号が供給されると、出力信号Ｓ３として“Ｈ”レベルの信号を出力する。制御信号生成回路１０５は入力端子Ａ、Ｂを備え、入力端子Ａに“Ｌ”レベルから“Ｈ”レベルに変化する制御信号Ｓ３が供給されると、出力端子Ｃから制御信号Ｓ５として“Ｌ”レベルから“Ｈ”レベルへ変化する信号を出力するように構成されている。制御信号生成回路１０５の詳細については後述する。
【００２２】
制御回路用電源回路１０６は制御信号生成回路１０５から“Ｈ”レベルの信号が供給されると動作を開始し、電池１０１の電圧を制御回路１０９が動作可能な電源電圧ＶＣＣに変換して制御回路１０９に供給すると同時に、ＡＮＤ回路１０８に“Ｈ”レベル信号を供給する。制御回路１０９は制御回路用電源回路１０６からの電源電圧ＶＣＣがＴ２で所定の電圧に達すると動作を開始し、同時にＡＮＤ回路１０８は、ＳＷ検出回路１０３と制御回路用電源回路１０６からそれぞれ“Ｈ”レベルの信号が供給されている期間、出力信号Ｓ４として“Ｈ”レベルを出力する。制御回路１０９は、Ｔ２でＡＮＤ回路１０８から“Ｈ”レベル信号Ｓ４が供給されると操作スイッチ１０２が操作されたものと判断し、制御回路用電源回路１０６の動作を保持するために、Ｔ３でＯＲ回路１０４と制御信号生成回路１０５に“Ｈ”レベル信号Ｓ２を出力し、カメラ動作中は常に“Ｈ”レベル信号の出力を続ける。これにより、Ｔ４で操作スイッチ１０２の操作が終了しても、制御回路１０９からＯＲ回路１０４に“Ｈ”レベル信号Ｓ２が供給されていれば、Ｓ３が“Ｈ”のままであるので制御回路用電源回路１０６の動作が継続されることになる。さらに制御回路１０９はカメラの動作を開始するために、カメラ部用電源回路１０７を動作するための制御信号Ｓ６を出力すると共に、カメラ部１１０の制御を開始する。
【００２３】
次に、電源オフ時の動作について説明する。図３（ａ）のＴ５からＴ６までの期間、電源オフのために操作スイッチ１０２が操作されると、ＳＷ検出回路１０３は操作スイッチ１０２が操作されている期間、ＯＲ回路１０４及びＡＮＤ回路１０８に制御信号Ｓ１として“Ｈ”レベルの信号を供給する。カメラが動作している時には、制御回路用電源回路１０６からＡＮＤ回路１０８には“Ｈ”レベルの信号が供給されているので、ＡＮＤ回路１０８は“Ｈ”レベル信号Ｓ４を制御回路１０９に出力する。制御回路１０９はＡＮＤ回路１０８から“Ｈ”レベル信号Ｓ４が供給されると操作スイッチ１０２が操作されたものと判断し、カメラの動作を停止するために、カメラ部１１０への制御を終了した後、カメラ部用電源回路１０７を停止するための制御信号Ｓ６を出力する。さらに、制御回路用電源回路１０６の動作を停止するために、Ｔ７で制御回路１０９はＯＲ回路１０４と制御信号生成回路１０５に“Ｌ”レベル信号Ｓ２を供給する。制御信号生成回路１０５は、入力端子Ｂに“Ｈ”レベルから“Ｌ”レベルに変化する制御信号Ｓ２が供給されると、出力端子Ｃに出力している制御信号Ｓ５を“Ｈ”レベルから“Ｌ”レベルへ変化するように構成されている。制御信号Ｓ５が“Ｌ”レベルとなると、制御回路用電源回路１０６の動作は停止し、カメラ内部全てへの電力供給が停止されるのでカメラの動作が停止する。
【００２４】
ここで、制御信号生成回路１０５について詳しく説明する。制御信号生成回路１０５は入力端子Ａ、Ｂ及び出力端子Ｃを備え、図３に示すように、入力端子Ａに“Ｌ”レベルから“Ｈ”レベルに変化する制御信号Ｓ３が供給されると、出力端子Ｃから制御信号Ｓ５として“Ｌ”レベルから“Ｈ”レベルへ変化する信号を出力し、また、入力端子Ｂに“Ｈ”レベルから“Ｌ”レベルに変化する制御信号Ｓ２が供給されると、出力端子Ｃに出力している制御信号Ｓ５を“Ｈ”レベルから“Ｌ”レベルへ変化するように構成されている。
【００２５】
図２は、上記制御信号生成回路１０５の構成の一例を示す。同図において、２０１は入力端子Ａ、２０２は入力端子Ｂ、２０３、２０４は入力信号を所定時間遅延するための遅延回路、２０５、２０６はＡＮＤ回路、２０７はＳＲラッチ回路、２０８は出力端子Ｃである。なお、同図の構成で上述したような制御信号の生成が可能であるが、本発明はこの構成に限定される訳ではなく、同様の動作が可能な回路であればよいことは言うまでもない。
【００２６】
以上が操作スイッチの操作で電源をオン及びオフする時の制御の説明である。
【００２７】
図３（ｂ）は、所定期間カメラの操作が行われない場合に、省電力のためにカメラの電源を自動的にオフする時の制御を示す図である。同図においてＴ１からＴ４までの電源をオンする時の制御は上述した図３（ａ）の説明と同様である。電源オン後、所定の期間カメラの操作が何も行われない場合には、制御回路１０９はカメラの動作を停止するために、カメラ部１１０への制御を終了した後、カメラ部用電源回路１０７を停止するための制御信号Ｓ６を出力する。さらに、制御回路用電源回路１０６を停止するために、Ｔ８でＯＲ回路１０４と制御信号生成回路１０５に“Ｌ”レベル信号Ｓ２を供給する。前述のように、制御信号生成回路１０５は、入力端子Ｂに“Ｈ”レベルから“Ｌ”レベルに変化する制御信号Ｓ２が供給されると、出力端子Ｃに出力している制御信号Ｓ５を“Ｈ”レベルから“Ｌ”レベルへ変化するように構成されているので、制御信号Ｓ５が“Ｌ”レベルとなると、制御回路用電源回路１０６の動作は停止し、カメラ内部全てへの電力供給が停止されることによりカメラの動作が停止することになる。
【００２８】
また、図３（ｃ）に示すように、カメラの電源オンの操作中に何らかの不具合等で操作スイッチ１０２が操作され続けられた状態になり、ＳＷ検出回路１０３の出力Ｓ１が“Ｈ”レベルのままになった場合には、制御回路１０９は制御回路用電源回路１０６を停止するために、Ｔ８で制御信号Ｓ２を“Ｈ”レベルから“Ｌ”レベルに変化させると、制御信号生成回路１０５は出力信号Ｓ５を“Ｈ”レベルから“Ｌ”レベルに変化させるようになっているため、制御信号Ｓ５が“Ｌ”レベルとなると、制御回路用電源回路１０６の動作は停止し、カメラ内部全てへの電力供給が停止するので、カメラの動作を停止させることができる。
【００２９】
なお、上述の制御では、操作スイッチ１０２による操作を行うことができないため、図３（ｂ）を参照して説明した、省電力のためにカメラの電源を自動的にオフする時の制御により電源をオフしている。従って、所定期間カメラの操作が何も行われない場合に、図３（ｃ）に示す電源オフ制御が行われることになる。
【００３０】
上記の通り本第１の実施形態によれば、制御信号生成回路１０５を追加することにより、カメラの電源がオンの期間中に何らかの不具合等で操作スイッチが操作され続けた状態になった場合でも、制御回路からの制御によって確実にカメラの電源をオフすることが可能となる。
【００３１】
＜第２の実施形態＞
図４は、本発明の第２の実施形態に係るデジタルカメラの概略機能構成を示すブロック図である。図４において、図１と同様な構成には同じ参照番号を付し、説明を省略する。同図において、１１１は入力された信号を所定期間保持する検出信号保持回路である。
【００３２】
図６は本第２の実施形態におけるデジタルカメラの電源オン及びオフ時の制御を示すタイミングチャートである。図４及び図６を用いて電源オン／オフの制御について説明する。
【００３３】
まず、電源オン時の動作について説明する。図６（ａ）のＴ１で電源オンのために操作スイッチ１０２が操作されると、ＳＷ検出回路１０３は操作スイッチ１０２が操作されている期間（ここでは、Ｔ１〜Ｔ４の期間、電源オン操作のためにスイッチが操作されているものとする。）、検出信号保持回路１１１及びＡＮＤ回路１０８にそれぞれ制御信号Ｓ１として“Ｈ”レベルの信号を供給する。検出信号保持回路１１１はＳＷ検出回路１０３から“Ｈ”レベルの制御信号Ｓ１が供給されると、“Ｈ”レベルを所定期間保持し、制御信号Ｓ７としてＯＲ回路１０４に供給するように構成されている。検出信号保持回路１１１の詳細については後述する。
【００３４】
ＯＲ回路１０４は、検出信号保持回路１１１から“Ｈ”レベルの信号が供給されると出力信号Ｓ３として“Ｈ”レベルの信号を出力する。制御回路用電源回路１０６はＯＲ回路１０４から“Ｈ”レベルの信号が供給されると動作を開始し、電池１０１の電圧を制御回路１０９が動作可能な電源電圧ＶＣＣに変換して制御回路１０９に供給すると同時に、ＡＮＤ回路１０８に“Ｈ”レベル信号を供給する。制御回路１０９は制御回路用電源回路１０６からの電源電圧ＶＣＣがＴ２で所定の電圧に達すると動作を開始する。同時にＡＮＤ回路１０８は、ＳＷ検出回路１０３と制御回路用電源回路１０６からそれぞれ“Ｈ”レベルの信号が供給されている期間、出力信号Ｓ４として“Ｈ”レベルを出力する。制御回路１０９は、Ｔ２でＡＮＤ回路１０８から“Ｈ”レベル信号Ｓ４が供給されると操作スイッチ１０２が操作されたものと判断し、制御回路用電源回路１０６の動作を保持するために、Ｔ３でＯＲ回路１０４に“Ｈ”レベル信号Ｓ２を出力し、カメラ動作中は常に“Ｈ”レベル信号の出力を続ける。これにより、Ｔ４で操作スイッチ１０２の操作が終了しても、制御回路１０９からＯＲ回路１０４に“Ｈ”レベル信号Ｓ２が供給されていれば、Ｓ３が“Ｈ”のままであるので制御回路用電源回路１０６の動作が継続されることになる。さらに制御回路１０９はカメラの動作を開始するために、カメラ部用電源回路１０７を動作するための制御信号Ｓ６を出力すると共に、カメラ部１１０の制御を開始する。
【００３５】
次に、電源オフ時の動作について説明する。図６（ａ）のＴ５からＴ６までの期間、電源オフのために操作スイッチ１０２が操作されると、ＳＷ検出回路１０３は操作スイッチ１０２が操作されている期間、検出信号保持回路１１１及びＡＮＤ回路１０８に制御信号Ｓ１として“Ｈ”レベルの信号を供給する。カメラが動作している時には、制御回路用電源回路１０６からＡＮＤ回路１０８には“Ｈ”レベルの信号が供給されているので、ＡＮＤ回路１０８は“Ｈ”レベル信号Ｓ４を制御回路１０９に出力する。制御回路１０９はＡＮＤ回路１０８から“Ｈ”レベル信号Ｓ４が供給されると操作スイッチ１０２が操作されたものと判断し、カメラの動作を停止するために、カメラ部１１０への制御を終了した後、カメラ部用電源回路１０７を停止するための制御信号Ｓ６を出力する。さらに、制御回路用電源回路１０６の動作を停止するために、Ｔ７で制御回路１０９はＯＲ回路１０４に“Ｌ”レベル信号Ｓ２を供給する。上述したように、検出信号保持回路１１１はＳＷ検出回路１０３から供給された制御信号Ｓ１の“Ｈ”レベルを所定期間だけ保持して、制御信号Ｓ７としてＯＲ回路１０４に供給しているので、Ｔ７では、ＯＲ回路に供給される制御信号Ｓ７がＳ２と共に“Ｌ”レベルとなり、出力信号Ｓ３が“Ｌ”レベルになる。これにより、制御回路用電源回路１０６の動作は停止し、カメラ内部全てへの電力供給が停止され、カメラの動作が停止する。
【００３６】
ここで、検出信号保持回路１１１について詳しく説明する。検出信号保持回路１１１は入力端子Ａ及び出力端子Ｂを備え、図６に示すように、入力端子ＡにＳＷ検出回路１０３からの制御信号Ｓ１が供給されると、制御信号Ｓ１の“Ｈ”レベルの期間を所定期間保持して、出力端子Ｂから制御信号Ｓ７として出力するように構成されている。
【００３７】
図５は、検出信号保持回路１１１の構成の一例を示す。同図において、３０１は入力端子Ａ、３０２は入力信号を所定時間遅延するための遅延回路、３０３はＡＮＤ回路、３０４はモノステーブル・マルチバイブレータ（モノマルチ）、３０５、３０６はモノマルチ３０４の時定数を決定するためのコンデンサと抵抗、３０７は出力端子Ｂである。同図において、モノマルチ３０４とコンデンサ３０５、抵抗３０６によって、入力された信号の“Ｈ”レベルは所定期間保持されることになる。この際に“Ｈ”レベルを保持する期間は、制御回路用電源回路１０６が制御信号Ｓ３の供給を受けて動作を開始し、さらに動作を開始した制御回路用電源回路１０６から電源ＶＣＣが供給された制御回路１０９が立ち上がり、周辺回路の制御を可能となる時間以上になるように設定するようにする。また、遅延回路３０２とＡＮＤ回路３０３で、入力信号の判別を行う。すなわち、所定期間以上入力端子から“Ｈ”レベルの信号が入力された場合のみ、モノマルチ３０４に制御信号を供給し、入力信号の“Ｈ”レベルの期間が所定期間より短かった場合には、モノマルチ３０４には制御信号を供給しないように構成されている。このため、操作スイッチ１０２が電源オン及びオフのためではなく、衝撃等の要因で一瞬操作されてしまったような場合に、誤って操作を受け付けないようにしている。なお、同図の構成で上記制御信号の生成が可能であるが、本発明はこの構成に限定される訳ではなく、同様の動作が可能な回路であればよいことは言うまでもない。
【００３８】
上述したような検出信号保持回路１１１を設けることにより、図６（ｂ）に示すように、操作スイッチ１０２がカメラが動作を開始するのに必要なＴ１〜Ｔ４よりも短いＴ１〜Ｔ２期間のみ操作された場合であっても、予め決められた所定期間、ＯＲ回路１０４には“Ｈ”レベル信号Ｓ７を供給するので、カメラが動作を開始するまで操作スイッチ１０２を操作し続けなくても確実にカメラの電源をオンすることができる。
【００３９】
また、操作スイッチが衝撃等の要因で一瞬操作されてしまったような場合にも、誤ってカメラがオンやオフしないようにすることができる。
【００４０】
また、本第２の実施形態におけるデジタルカメラの構成では、カメラの電源オンの操作中に何らかの不具合等で操作スイッチ１０２が操作され続けられた状態になり、ＳＷ検出回路１０３の出力Ｓ１が“Ｈ”レベルのままになった場合であっても、検出信号保持回路１１１はＳＷ検出回路１０３から“Ｈ”レベルの制御信号Ｓ１が供給されてから、“Ｈ”レベルを所定期間保持し、制御信号Ｓ７としてＯＲ回路１０４に供給した後、制御信号Ｓ７を“Ｌ”レベルに戻すため、図８（ｂ）を参照して説明した従来と同様の省電力のための電源自動オフ制御が可能になる。
【００４１】
なお、本発明は、以上の各実施形態、または、それら技術要素を必要に応じて組み合わせるようにしてもよい。その場合、それぞれの効果が同時に得られることはいうまでもない。
【００４２】
また、上記実施の形態では、デジタルカメラのオン／オフ動作を制御する場合について説明したが、本発明はこれに限るものではなく、電池によって駆動する装置（例えば、携帯オーディオシステム、携帯電話、携帯型情報端末装置など）にも適用することが可能である。
【図面の簡単な説明】
【００４３】
【図１】本発明の第１の実施形態に係るデジタルカメラの概略機能構成を示すブロック図である。
【図２】本発明の第１の実施形態に係る制御信号生成回路の構成例を示す図である。
【図３】本発明の第１の実施形態に係るデジタルカメラの電源オン／オフ時の制御を説明するタイミングチャートである。
【図４】本発明の第２の実施形態に係るデジタルカメラの概略機能構成を示すブロック図である。
【図５】本発明の第２の実施形態に係る検出信号保持回路の構成例を示す図である。
【図６】本発明の第２の実施形態に係るデジタルカメラの電源オン／オフ時の制御を説明するタイミングチャートである。
【図７】従来のデジタルカメラの概略機能構成を示すブロック図である。
【図８】従来のデジタルカメラの電源オン／オフ時の制御を説明するタイミングチャートである。
【符号の説明】
【００４４】
１０１  電池
１０２  操作スイッチ
１０３  ＳＷ検出回路
１０４  ＯＲ回路
１０５  制御信号生成回路
１０６  制御回路用電源回路
１０７  カメラ部用電源回路
１０８  ＡＮＤ回路
１０９  制御回路
１１０  カメラ部
１１１  検出信号保持回路
２０１、２０２  入力端子
２０３、２０４  遅延回路
２０５、２０６  ＡＮＤ回路
２０７  ＳＲラッチ回路
２０８  出力端子
３０１  入力端子
３０２  遅延回路
３０３  ＡＮＤ回路
３０４  モノステーブル・マルチバイブレータ
３０５  コンデンサ
３０６  抵抗
３０７  出力端子
【図１】
2005108156.tif 000003
【図２】
2005108156.tif 000004
【図３】
2005108156.tif 000005
【図４】
2005108156.tif 000006
【図５】
2005108156.tif 000007
【図６】
2005108156.tif 000008
【図７】
2005108156.tif 000009
【図８】
2005108156.tif 000010